(57)【要約】【課題】  舗装板使用の舗装面上に長時間に亘って降雨があると、各舗装板の下面側に透過した雨水が路盤層４及び路床３部分で飽和状態になり、舗装面上に雨水が溢れる（溜まってしまう）という問題がある。【解決手段】  路盤層４又は路床３上に敷設される路面舗装用の舗装板において、舗装板本体１０の裏面１２に、縦横各方向に向けて少なくとも１本ずつ以上の水案内用の凹溝１３，１４を形成するとともに、該各凹溝１３，１４は、隣接して敷設される別の舗装板の凹溝と相互に連通し得る位置に形成しており、この舗装板１を使用した舗装構造では、舗装板１の下面に浸透した雨水が各凹溝１３，１４を通って速やかに流動して（排水されて）、該舗装板１の下面側に雨水が飽和状態になるのを防止できる（舗装面上に数位が溜まらない）ようにしている。【選択図】      図１
2006097229.tif 000002
【特許請求の範囲】
【請求項１】
路盤層（４）又は路床（３）上に設置される路面舗装用の舗装板であって、舗装板本体（１０）の裏面（１２）に、縦横各方向に向けて少なくとも１本ずつ以上の水案内用の凹溝（１３，１４）を形成するとともに、該各凹溝（１３，１４）は、隣接して敷設される別の舗装板の凹溝（１３，１４）と相互に連通し得る位置に形成していることを特徴とする舗装板。
【請求項２】
請求項１において、舗装板本体（１０）の裏面（１２）に、各凹溝（１３，１４）を被覆するようにしてシート（２）を貼着していることを特徴とする舗装板。
【請求項３】
請求項１の舗装板（１）を使用した舗装構造であって、該舗装板（１）が設置される路盤層（４）又は路床（３）上にシート（５）を張設した状態で、該シート（５）上に舗装板（１，１・・）を設置していることを特徴とする舗装板を用いた舗装構造。
【発明の詳細な説明】
【技術分野】
【０００１】
本願発明は、歩道（公園、駐車場等の敷地も含む）や車道等の舗装用に使用される舗装板及びその舗装板を用いた舗装構造に関するものである。
【背景技術】
【０００２】
歩道や車道等の舗装面は、コンクリートやアスファルトを直接打設して舗装したもののほかに、例えば図９に示すように、舗装板１Ａ，１Ａ・・を使用して舗装したものがある。図９に示す舗装板を用いた舗装構造は、土壌質からなる路床３の上に砂や砕石等からなる路盤層４を敷き、該路盤層４の上に多数枚の舗装板１Ａ，１Ａ・・を縦横に敷き詰めて構成されている。
【０００３】
舗装板１Ａとしては、一般にコンクリート平板やインターロッキングと称される厚手のコンクリートブロックが多様されている。又、近年では、この種の舗装板１Ａとして、例えば多孔質コンクリート等で成形された透水性のあるものが多種開発されている。尚、この種の透水性舗装板としては、例えば、特許文献１の特開平１０−３１１００３号公報、特許文献２の特開２００２−５４１０４号公報、特許文献３の特開２００４−９２２４０号公報等に示されるものがある。
【０００４】
そして、図９に示す舗装構造では、降雨時に、その雨水が各舗装板１Ａ，１Ａ間の目地Ｍ，Ｍ・・部分や透水性舗装板では該舗装板１Ａ自体を透過して、路盤層４及び路床３部分に浸透していき、舗装面上に水が溜まりにくい構造となっている。
【０００５】
【特許文献１】特開平１０−３１１００３号公報
【特許文献２】特開２００２−５４１０４号公報
【特許文献３】特開２００４−９２２４０号公報
【発明の開示】
【発明が解決しようとする課題】
【０００６】
ところで、上記した透水機能を有する舗装面であっても、長時間に亘って降雨があると、各舗装板１Ａ，１Ａ・・の下面側に透過する雨水量が路盤層４及び路床３部分での保水能力及び排水能力を超えることがあり（路盤層４及び路床３部分で雨水が飽和状態になる）、舗装板部分に透水機能を有していても路面（舗装面）上に雨水が溜まってしまうという問題があった。尚、路盤層４及び路床３部分に浸透した雨水は、側溝や地下に徐々に排水されていくが、該路盤層４や路床３部分での水の流動性は低く、降雨量がそれらの部分（路盤層４や路床３）での排水能力を超えると、必然的に路面上に雨水が溜まるようになる。
【０００７】
本願発明は、上記した従来の舗装構造の問題点に鑑み、長時間に亘って降雨があっても、舗装板の下面側に透過した雨水を効率よく排水できるようにした舗装板及びその舗装板を用いた舗装構造を提供することを目的としている。
【課題を解決するための手段】
【０００８】
本願発明は、上記課題を解決するための手段として次の構成を有している。
【０００９】
本願請求項１の発明
本願請求項１の発明は、路盤層又は路床上に設置される舗装板を対象にしている。尚、本願で使用する舗装板は、コンクリート平板やインターロッキングと称される厚手のコンクリートブロックが多用されるが、合成樹脂製の平板や木材板やレンガ（陶磁器製も含む）等も採用可能である。又、本願では、舗装板として、透水性のあるものでもよいし透水性がないものでもよい。尚、舗装板としては、平面視で正方形や長方形等の矩形のものが好ましい。
【００１０】
そして、本願請求項１の舗装板は、舗装板本体の裏面に、縦横各方向に向けて水案内用の凹溝を形成している。この凹溝は、縦横にそれぞれ少なくとも１本ずつあればよいが、舗装板の面積が大きくなると、該面積に応じて所定間隔（例えば５０〜１００mm程度の間隔）をもって複数本ずつ形成することができる。又、この縦横の各凹溝は、それぞれ舗装板の対向側縁まで連続して引き通している。従って、縦横の各凹溝は、交点部で連通しており、凹溝内を通る水が該交点部で縦向きの凹溝と横向きの凹溝間で相互に流通し得るようになっている。尚、各凹溝の幅及び深さは、特に限定するものではないが、幅が５〜１０mm、深さが３〜１０mm程度が適当である。
【００１１】
又、縦横の各凹溝は、隣接して敷設される別の舗装板の凹溝と相互に連通し得る位置に形成している。即ち、この舗装板は、路盤層又は路床の上に前後左右に近接させた状態で設置されるが、その設置状態において、隣接する２つの舗装板の各隣接端面に位置する各凹溝の開口同士が相互に連続するように、該各凹溝の位置を設定している。
【００１２】
この請求項１の舗装板は、多数枚を路盤層又は路床の上に前後左右に近接状態で設置して舗装面を形成する。尚、この種の舗装板を使用した舗装構造では、一般に土壌質からなる路床の上に砂や砕石等からなる路盤層を敷き詰め、該路盤層の上に舗装板を設置しているが、本願では、直接路床の上に舗装板を敷設するようにしてもよい。又、歩道のような舗装面は、緩やかな傾斜面となるように形成されるが、各舗装板下面の凹溝も舗装面と同方向に緩やかに傾斜している。
【００１３】
各舗装板の設置状態では、舗装板下面に形成している縦横の凹溝がそれぞれ空洞のままで維持されている。特に、舗装板を路盤層（砂や砕石等）の上に敷設した場合は、該砂や砕石等がバリヤとなって凹溝内に路床の土砂が侵入しにくくなる（凹溝内が目詰まりしにくくなる）。又、前後左右に隣接する２つの舗装板において、各隣接端面には各側の凹溝の開口同士が連続する状態で対向している。
【００１４】
そして、この舗装板を設置した舗装面上に降雨があると、その雨水の一部は舗装面の傾斜に沿って流れるが、雨水の一部は目地等の隙間を透過して（透水性舗装板使用の場合は舗装板自体にも雨水が透過する）、各舗装板の下面側の路盤層や路床中に浸透していく。
【００１５】
ところで、大量の降雨が長時間に亘って続くと、舗装板の下面側に浸入する雨水量も多くなり、その浸入雨水量が路盤層又は路床の保水能力（排水能力を含む）を超えると、該路盤層及び路床中に雨水が飽和状態になって、各舗装板下面の各凹溝内にも雨水が充満するようになる。そのとき、舗装板下面の各凹溝は空洞であるので、該凹溝内は水の流通抵抗が小さく、凹溝内に充満している雨水は該凹溝内を比較的スムーズに流動する特性がある。そして、各舗装板の凹溝同士は順次連続しているので、凹溝内の雨水は該凹溝内を低い方に流れていき、例えば歩道端部の側溝等に順次排出されるようになる。従って、各舗装板の下面側に雨水を保留させ得る余裕ができ（飽和状態が解消される）、舗装面上の雨水を順次舗装板下方に浸透させることができる（舗装面上に雨水が溜まらない）。
【００１６】
本願請求項２の発明
本願請求項２の発明は、請求項１の舗装板において、舗装板本体の裏面に、各凹溝を被覆するようにしてシートを貼着している。
【００１７】
このシートは、耐水性があり且つ土砂の透過を阻止し得るものであれば適宜のシート材が使用可能である。又、このシートは、プラスチックシートのような不透水性のものでもよく、あるいは不織布のような透水性のあるものでもよい。さらに、このシートは、フイルム状の薄手のものでもよいが、耐久性の点で適度の厚さ（例えば１〜５mm程度の厚さ）のものも使用することができる。尚、このシートは、舗装板本体の面積と同面積の大きさのものを予め舗装板裏面に接着剤で貼着しており、施工時に舗装板と一体的に取り扱えるようにしている。
【００１８】
ところで、このシートがない状態では、各凹溝が下向きに開口したままで、この凹溝付き舗装板を路盤層や路床上に設置したときに土砂が凹溝内に侵入する（凹溝内が目詰まりする）ことが考えられるが、この請求項２のように、舗装板の裏面にシートを貼着していると、舗装板裏面の凹溝が該シートで被覆されており、この凹溝付き舗装板を路盤層や路床上に設置（敷設）しても、該凹溝内に土砂が侵入するのを防止することができる。尚、このように、舗装板裏面にシートを貼着しても、各凹溝の各端部はそれぞれ舗装板外側面に開口しており、この舗装板の設置状態では、隣接する各舗装板の凹溝同士は相互に連通するようになっている。
【００１９】
本願請求項３の発明
本願請求項３の発明は、請求項１の舗装板を使用した舗装構造を対象にしている。そして、この舗装構造は、舗装板が設置される路盤層又は路床上にシートを張設した状態で、該シート上に舗装板を設置していることを特徴としている。
【００２０】
この請求項３の舗装構造では、土壌質からなる路床の上に砂や砕石等からなる路盤層を敷き詰め、該路盤層の上にシートを張設した状態で、該シートの上に舗装板を設置してもよく、あるいは路床上に直接シートを張設し、その上に舗装板を設置するようにしてもよい。尚、このシートは、適宜大面積のものを使用でき、舗装板を設置する前に路盤層等の上にきれいに伸展させた状態で張設しておく。
【００２１】
この請求項３で使用するシートは、請求項２の場合と同様に、耐水性があり且つ土砂の透過を阻止し得るものであれば適宜のシート材が使用可能であり、さらに透水性のあるものでも不透水性のものでもよい。
【００２２】
この請求項３の舗装構造では、上記請求項２の舗装板を使用したものと同様に、舗装板裏面の凹溝がシートで被覆されており、この凹溝付き舗装板を路盤層や路床上に設置しても、該凹溝内に土砂が侵入するのを防止することができる。尚、この請求項３の場合も、隣接する各舗装板の凹溝同士が相互に連続しており、降雨時に舗装板の下面側に浸透した雨水を順次各舗装板の凹溝内を通して、排水路（例えば側溝）に排水できるようになっている。
【発明の効果】
【００２３】
本願請求項１の発明の効果
本願請求項１の発明の舗装板は、舗装板本体の裏面に縦横各方向に向けて水案内用の凹溝を形成するとともに、該各凹溝は隣接して設置される別の舗装板の凹溝と相互に連通し得る位置に形成している。
【００２４】
従って、この請求項１の舗装板を使用した舗装構造では、舗装板下面側に浸透した雨水が路盤層や路床中に満杯（飽和状態）になると、該雨水が各凹溝内を通って流動し、速やかに側溝等に排出することができるので、舗装面上に雨水か溜まらないようになるという効果がある。
【００２５】
本願請求項２の発明の効果
本願請求項２の発明は、請求項１の舗装板において、舗装板本体の裏面に、各凹溝を被覆するようにしてシートを貼着している。
【００２６】
従って、この請求項２の舗装板を使用した舗装構造では、上記請求項１の効果に加えて、凹溝内に土砂が侵入するのを防止することができる（目詰まりを防止できる）という効果がある。又、シートは、舗装板本体に予め貼着しているので、該シートと舗装板本体とを一体的に取り扱え、シートを用いたものであっても施工作業が繁雑にならないという効果もある。
【００２７】
本願請求項３の発明の効果
本願請求項３の発明は、請求項１の舗装板を使用した舗装構造であって、舗装板が設置される路盤層又は路床上にシートを張設した状態で、該シート上に舗装板を設置して構成している。
【００２８】
従って、この請求項３の舗装構造には、上記請求項１の効果と同様に、隣接する各舗装板の凹溝同士を相互に連続させることができ、降雨時に舗装板の下面側に浸透した雨水を順次各舗装板の凹溝内を通して、排水路（例えば側溝）に排水できるという効果がある。又、この請求項３の舗装構造には、上記請求項２の効果と同様に、舗装板裏面の凹溝がシートで被覆されているので、各舗装板下面の各凹溝内に土砂が侵入するのを防止することができるという効果がある。
【実施例】
【００２９】
図１〜図８を参照して本願の実施例を説明すると、図１〜図３には第１実施例、図４には第２実施例、図５〜図６には第３実施例、図７には第４実施例、図８には第５実施例の舗装板がそれぞれ示されている。
【００３０】
図１〜図３の第１実施例
図１に示す第１実施例の舗装板１は、一辺長さＡが３０cm程度の正方形で厚さが２〜３cm程度のコンクリート平板製のものが採用されている。尚、この各寸法は、一例であって特に限定するものではない。
【００３１】
舗装板本体１０部分は、透水機能を備えている。この透水機能を持たせる構成としては、舗装板本体１０に多孔質コンクリートを使用したり、あるいは舗装板本体１０部分に上下に貫通する多数の小孔を形成したもの等が採用できる。
【００３２】
この舗装板本体１０の裏面１２には、縦横にそれぞれ所定間隔をもって３本ずつの凹溝（縦凹溝１３，１３，１３、横凹溝１４，１４，１４）が格子状に形成されている。この縦横の各凹溝１３，１４は、それぞれ舗装板本体１０の対向側縁に達するまで引き通しており、各縦凹溝１３，１３，１３と各横凹溝１４，１４，１４とが合計９箇所の交点部で連通している。尚、この縦横の各凹溝１３，１４の本数は、適宜に設定できる。
【００３３】
この縦横の各凹溝１３，１４の幅及び深さは、特に限定するものではないが、幅が５〜１０mm、深さが３〜１０mm程度が適当である。尚、この実施例では、各凹溝１３，１４は、断面形状が下向き開口の「コ」型になる形状に形成しているが、他の適宜の形状（例えば断面半円形）に形成することができる。
【００３４】
又、縦横３本ずつの各凹溝１３，１３，１３、１４，１４，１４は、図２に示すように、施工状態において隣接して設置される別の舗装板１，１・・の各凹溝（１３，１３，１３又は１４，１４，１４）にそれぞれ連通し得る位置に形成している。即ち、この第１実施例の舗装板１では、図１に示すように、縦横の各凹溝１３，１３，１３、１４，１４，１４をそれぞれ正確な間隔をもって格子状に配置している。具体的には、図１において寸法Ａ1がそれぞれ５cm、寸法Ａ2がそれぞれ１０cmとなっており、縦横の各凹溝１３，１３，１３、１４，１４，１４は、この舗装板１を水平方向に角度９０°回転したときに、同位置に位置するようになっている。従って、各舗装板１，１・・を図２に示すように組付けると、隣接する各舗装板１，１の縦凹溝１３，１３，１３同士又は横凹溝１４，１４，１４同士がそれぞれ連続するようになっている。
【００３５】
図１の舗装板１は、例えば図２及び図３に示すように、歩車道境界ブロック９で区画された歩道側の舗装に使用することができる。この実施例の舗装構造では、図３に示すように、歩道側の路床（土壌質）３の上に路盤層（砂や砕石）４を敷き詰め、その路盤層４の上にシート５を張設した後、そのシート５上に舗装板１，１・・を設置している。
【００３６】
図３の施工例で使用しているシート５は、耐水性があり且つ土砂の透過を阻止し得るものであれば適宜のシート材が使用可能であり、例えばプラスチックシートのような不透水性のものでも、あるいは不織布のような透水性のあるものでもよい。又、このシート５は、フイルム状の薄手のものでもよいが、耐久性の点で適度の厚さ（例えば１〜５mm程度の厚さ）のものも使用することができる。そして、このシート５は、路盤層４の上に伸展させた状態で張設しておき、さらに該シート５の上に順次舗装板１，１・・を縦横に近接配置しながら設置する。
【００３７】
他方、図２及び図３の施工例では、路床３及び路盤層４の形成時に、歩車道境界ブロック９に沿って集水管７を埋設する。この集水管７の先端は、集水桝８（図２）に接続しておく。又、集水管７には、集水管長さ方向に所定間隔（例えば図２に示すように舗装板１枚分の３０cm間隔）をもって上向きに立上げた複数個の導水材６，６・・を連続させる。この導水材６は、例えば合成樹脂線材を棒状又は筒状に絡めたものを使用でき、その上端部及び側周部から導水材６内に雨水を流入させ得るものである。各導水材６，６・・の上端は、路盤層４の上面に露出させているとともに、該各導水材６，６・・の上端が対応するシート５部分に穴をあけて該各導水材上端を該シート５上に露出させておく。尚、この各導水材６，６・・の上端は、歩車道境界ブロック９に沿って敷設される各舗装板１，１・・の凹溝（１３又は１４）が対応するように位置させるとよい。
【００３８】
そして、各舗装板１，１・・を順次縦横に目地Ｍの間隔をもって設置して、図２及び図３に示す舗装構造を構成する。尚、目地Ｍ内には、目地砂が充填される。又、図２及び図３に示す歩道舗装面では、歩車道境界ブロック９側に向けて緩やかな傾斜面となるように形成される。従って、各舗装板１，１・・の下面の凹溝１３，１４も舗装面と同方向に緩やかに傾斜するようになる。
【００３９】
図２及び図３の舗装構造では、各舗装板１，１・・の下面に形成している縦横の凹溝１３，１４がそれぞれ空洞のままで維持されている。又、前後左右に隣接する２つの舗装板１，１において、各隣接端面には各側の凹溝１３，１３（又は１４，１４）の開口同士が連続する状態で対向している。又、各舗装板１，１・・の下面（路盤層４の上面）には、シート５が張設されていて、該シート５で各凹溝１３，１４を下面側から閉塞しているので、該各凹溝１３，１４内には路床３又は路盤層４側の土砂が侵入することがない。従って、該凹溝１３，１４内が目詰まりすることがない。
【００４０】
そして、この舗装面上に降雨があると、その雨水の一部は舗装面上を傾斜に沿って流れるが、雨水の一部は目地Ｍの隙間を透過して（透水性舗装板使用の場合は舗装板自体にも雨水が透過する）、各舗装板１，１・・の下面側に浸透していく。このとき、シート５が不透水性のものでは、舗装板下面側に浸透した雨水が該シート５に阻止されて各凹溝１３，１４内に流入するとともに、該各凹溝１３，１４内を通って下降傾斜側（歩車道境界ブロック９の設置側）に流動し、各導水材６，６・・から集水管７内に流入した後、集水桝８に集められるようになる。
【００４１】
ところで、凹溝１３，１４内は空洞となっている関係で、該凹溝１３，１４内に流入した雨水はさほど流通抵抗がない状態で下降傾斜側に流動するようになり、その流動速度はかなり速いものとなる。従って、各舗装板１，１・・の下面側で雨水が飽和状態になることがなく、しかも舗装面上に降った雨水は順次スムーズに舗装板下面側に浸透するので、舗装面上に雨水が溜まらない。
【００４２】
他方、舗装板下方のシート５が透水性のあるものでは、舗装板１，１・・の下面に透過した雨水が該シート５を透過して路盤層４及び路床３中に浸透していくが、該路盤層４及び路床３中が雨水で飽和状態になるまでは、舗装面上に雨水が溜まることがない。又、該路盤層４及び路床３中が雨水で飽和状態になると、シート５上にも雨水が溜まるが、該シート５上の雨水は舗装板下面の各凹溝１３，１４内に流入して、上記と同様に該凹溝１３，１４内を通って下降傾斜側に流動するようになる。従って、この場合も、舗装面上に雨水が溜まることがない。
【００４３】
図４の第２実施例
図４の示す第２実施例の舗装板１は、図１（第１実施例）の舗装板１の裏面１２に、各凹溝１３，１４を被覆するようにしてシート２を貼着している。このシート２の貼着には、適宜の接着剤が使用される。尚、この第２実施例の舗装板１において、舗装板本体１０及び各凹溝（縦凹溝１３，１３，１３、横凹溝１４，１４，１４）の構成は、第１実施例（図１）のものと同じである。
【００４４】
この第２実施例の舗装板１も、図２に示すように前後左右に近接配置して舗装面を構成するが、この第２実施例の舗装板１には、裏面１２に予めシート２を貼着しているので、図３のシート５を張設する作業が不要となり、施工作業が簡単になる。又、該シート２による機能は、図３に張設しているシート５と同じ機能を有する。
【００４５】
図５及び図６の第３実施例
図５に示す第３実施例の舗装板１は、図１の正方形の舗装板を２枚連続させて長方形状に一体成形したものである。即ち、短辺側の長さＡが３０cmで、長辺側の長さ２Ａが６０cmである。又、短辺側（符号Ａ側）には、間隔Ａ2（１０cm）をもって３本の凹溝１３，１３，１３を形成し、長辺側（符号２Ａ側）には、間隔Ａ2（１０cm）をもって６本の凹溝１４，１４・・を形成している。尚、各側縁寄りの凹溝１３，１３（又は１４，１４）と舗装板本体１０の各側縁との間隔Ａ1は、５cmである。
【００４６】
この図５に示す舗装板１は、図６に示すように、向きを変えて施工することができるが、その場合に、前後左右に隣接する各舗装板１，１の凹溝（１３，１４）同士をそれぞれ相互に連続させることができる。そして、この第３実施例の舗装板１も、図３（第１実施例）に示すようにシート５を張設した上に設置して舗装構造を形成することができ、第１実施例の舗装板と同様の機能を有する。
【００４７】
図７の第４実施例
図７に示す第４実施例の舗装板１は、インターロッキングと称されるコンクリートブロックであって、平面積の割に厚さが厚く形成されている。尚、図７の舗装板１は、一辺Ｂが１０cmの正方形で、厚さが６cmの大きさである。
【００４８】
又、この第４実施例の舗装板１には、その裏面１２に、縦横に１本ずつの凹溝１３，１４が形成されている。この各凹溝１３，１４は、各辺Ｂ，Ｂの中央部（対向側縁からそれぞれＢ1，Ｂ1の位置）において十字状に引き通している。
【００４９】
そして、この第４実施例の舗装板１も、図２及び図３に示すように施工して舗装面を構成するが、その施工状態において前後左右に隣接する各舗装板１，１の凹溝１３，１３（又は１４，１４）同士が相互に連続するようになっている。尚、この第４実施例の舗装板１も、第１実施例の舗装板と同様の機能を有する。
【００５０】
図８の第５実施例
図８に示す第５実施例の舗装板１も、インターロッキングと称されるコンクリートブロックであって、図７の舗装板を２個連続させて長方形状に一体成形したものである。即ち、短辺側の長さＢが１０cm、長辺側の長さ２Ｂが２０cm、厚さが６cmの大きさに形成されている。又、短辺側（符号Ｂ側）には、その中央部（対向側縁からそれぞれＢ1，Ｂ1の位置）に１本の凹溝１３を形成し、長辺側（符号２Ｂ側）には、間隔Ｂ2（１０cm）をもって２本の凹溝１４，１４を形成している。尚、該各凹溝１４，１４と舗装板本体１０の各側縁との間隔Ｂ1は、５cmである。
【００５１】
この第８実施例の舗装板１は、図６の施工例とほぼ同様にして舗装構造を形成することができ、その施工状態において前後左右に隣接する舗装板１，１の各凹溝（１３，１４）同士が相互に連続するようになっている。尚、この第４実施例の舗装板１も、第３実施例の舗装板と同様の機能を有する。
【００５２】
本願の他の実施例として、次のように構成することができる。
【００５３】
(1) 第１〜第５の各実施例において、舗装板本体１０としてコンクリート製のものを使用しているが、舗装板本体の材料は、コンクリートのほかに、合成樹脂材料、木材、レンガ材（陶磁器材料を含む）等で成形したものでもよい。
【００５４】
(2) 第１〜第５実施例において、舗装板本体１０は透水性機能を持たせているが、不透水性の舗装板も使用することができる。その場合、舗装面上に降った雨水は、舗装板間の目地Ｍ部分から下方に浸透する。
【００５５】
(3) 上記第３実施例〜第５実施例（図５〜図８）において、舗装板本体１０の裏面１２に、予め第２実施例（図４）のように各凹溝１３，１４を被覆するシート２を貼着させて舗装板１としてもよい。
【００５６】
(4) 各実施例では舗装板１の下面にシート（２又は５）を敷設しているが、シートを敷設しないで舗装板１を直接路盤層４又は路床３上に設置してもよい。
【図面の簡単な説明】
【００５７】
【図１】本願第１実施例の舗装板の下方斜視図である。
【図２】図１の舗装板を使用した舗装構造の平面図である。
【図３】図２の舗装構造のII−II拡大断面図である。
【図４】本願第２実施例の舗装板の下方斜視図である。
【図５】本願第３実施例の舗装板の下方斜視図である。
【図６】図５の舗装板を使用した舗装構造の平面図である。
【図７】本願第４実施例の舗装板の下方斜視図である。
【図８】本願第５実施例の舗装板の下方斜視図である。
【図９】従来の舗装構造の説明図である。
【符号の説明】
【００５８】
１は舗装板、２はシート、３は路床、４は路盤層、５はシート、１０は舗装板本体、１２は裏面、１３，１４は凹溝である。
【図１】
2006097229.tif 000003
【図２】
2006097229.tif 000004
【図３】
2006097229.tif 000005
【図４】
2006097229.tif 000006
【図５】
2006097229.tif 000007
【図６】
2006097229.tif 000008
【図７】
2006097229.tif 000009
【図８】
2006097229.tif 000010
【図９】
2006097229.tif 000011